(57)【要約】  基地局において、決定部は、MTCに用いられるPDCCHであるMPDCCHが割り当てられるNarrowbandの周波数位置を定義するためのオフセットと、システム帯域のリソースブロックグループサイズと、に基づいて、MPDCCHを構成する、第１のEPDCCHセットの配置、および、第１のEPDCCHセットと異なるPRB数を有する第２のEPDCCHセットの配置を決定する。送信部は、第１のEPDCCHセットの配置および第２のEPDCCHセットの配置に基づいて、制御信号を送信する。また、決定部は、第１のEPDCCHセットおよび第２のEPDCCHセットを、少なくとも一方のEPDCCHセットが衝突するRBG数が最小となるように配置する。
2017017881.tif 000002
【特許請求の範囲】
【請求項１】
MTC（Machine-Type Communications）に用いられるPDCCH（Physical Downlink Control Channel）であるMPDCCHが割り当てられるNarrowbandの周波数位置を定義するためのオフセットと、システム帯域中のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットとは異なるPRB（Physical resource block）数を有する第２のEPDCCHセットの配置を決定する決定部と、
前記第１のEPDCCHセットの配置および前記第２のEPDCCHセットの配置に基づいて、制御信号を送信する送信部と、
を具備し、
前記決定部は、前記第１のEPDCCHセットおよび前記第２のEPDCCHセットを、少なくとも一方のEPDCCHセットが衝突するRBG数が最小となるように配置する、
基地局。
【請求項２】
前記決定部は、前記RBGサイズが２の場合、連続する２つのPRBからなる前記第１のEPDCCHセットが前記Narrowband中の1つのRBGに対応し、４つのPRBからなる前記第２のEPDCCHのセットが前記Narrowband中の残りのPRBに対応するように、前記MPDCCHを配置する、
請求項１に記載の基地局。
【請求項３】
前記決定部は、前記RBGサイズが３の場合、連続する４つのPRBからなる前記第１のEPDCCHセットが前記Narrowband中の2つのRBGに対応し、２つのPRBからなる前記第２のEPDCCHセットが前記Narrowband中の残りのPRBに対応するように、前記MPDCCHを配置する、
請求項１に記載の基地局。
【請求項４】
前記決定部は、前記RBGサイズが３の場合、２つのPRBからなる前記第１のEPDCCHセットが前記Narrowband中の２以上のPRBを含むRBGに対応し、４つのPRBからなる前記第２のEPDCCHセットが残りのPRBに対応するように、前記MPDCCHを配置する、
請求項１に記載の基地局。
【請求項５】
前記決定部は、前記RBGサイズが４の場合、４つのPRBからなる前記第１のEPDCCHセットが前記Narrowband内に４つのPRBを含むRBGに対応し、２つのPRBからなる前記第２のEPDCCHセットが残りのPRBに対応するように、前記MPDCCHを配置する、
請求項１に記載の基地局。
【請求項６】
前記決定部は、前記RBGサイズ４の場合で、前記Narrowband内に４つのPRBを含むRBGがない場合、２つのPRBからなる前記第１のEPDCCHセットが前記Narrowband内に３つのPRBを含むRBGに対応し、４つのPRBからなる前記第２のEPDCCHセットが残りのPRBに対応するように、前記MPDCCHを配置する、
請求項１に記載の基地局。
【請求項７】
連続する複数のPRB（Physical Resource Block）で構成されるNarrowbandの周波数位置を定義するためのオフセットと、システム帯域中のリソースブロックグループ（RBG：Resource Block Group）サイズと、前記Narrowbandのタイプとに基づいて、前記NarrowbandにおいてPDSCH（Physical Downlink Shared Channel）を配置するPRBを決定する決定部と、
前記決定されたPRBを通知するためのリソース割当ビット、および、前記決定されたPRBに配置されたPDSCHを送信する送信部と、
を具備し、
前記RBGサイズが４PRBであり、前記複数のPRBが６PRBである場合、前記Narrowbandは、
前記６PRBのうちの周波数がより低い４PRBからなる第１グループが１つのRBGに対応し、周波数がより高い残りの２PRBからなる第２グループがRBGの一部に対応する第１タイプのNarrowbandと、
前記６PRBうちの周波数がより高い４PRBからなる第３グループが１つのRBGに対応し、周波数がより低い残りの２PRBから成る第４グループがRBGの一部に対応する第２タイプのNarrowbandと、を含み、
前記第１のNarrowbandの前記第１グループに含まれるリソースと、前記第２のNarrowbandの前記第３グループに含まれるリソースとは、前記リソース割当ビットの同一の値に対応付けられ、
前記第１のNarrowbandの前記第２グループに含まれるリソースと、前記第２のNarrowbandの前記第４グループに含まれるリソースとは、前記リソース割当ビットの同一の値に対応付けられる、
基地局。
【請求項８】
前記第１タイプのNarrowbandにおけるPDSCHを配置するPRBと、前記第２タイプのNarrowbandにおけるPDSCHを配置するPRBとの関係は、周波数方向で反転した関係である、
請求項７に記載の基地局。
【請求項９】
前記第１タイプのNarrowbandにおけるPDSCHを配置するPRBと、前記第２タイプのNarrowbandにおけるPDSCHを配置するPRBとの関係は、２つのPRB分だけサイクリックシフトした関係である、
請求項７に記載の基地局。
【請求項１０】
MTC（Machine-Type Communications）に用いられるPDCCH（Physical Downlink Control Channel）であるMPDCCHが割り当てられるNarrowbandの周波数位置を定義するためのオフセットと、システム帯域中のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットとは異なるPRB（Physical resource block）数を有する第２のEPDCCHセットの配置を決定する決定部と、
前記第１のEPDCCHセットおよび前記第２のEPDCCHの配置に基づいて、制御信号を受信する受信部と、
を具備し、
前記決定部は、前記第１のEPDCCHセットの配置および前記第２のEPDCCHセットを、少なくとも一方のEPDCCHセットが衝突するRBG数が最小となるように配置する、
端末。
【請求項１１】
基地局からのリソース割当ビット、および、PRB（Physical Resource Block）に配置されたPDSCH（Physical Downlink Shared Channel）を受信する受信部と、
連続する複数のPRBで構成されるNarrowbandの周波数位置を定義するためのオフセットと、システム帯域のリソースブロックグループ（RBG：Resource Block Group）サイズと、前記Narrowbandのタイプと、前記リソース割当ビットとに基づいて、前記NarrowbandにおいてPDSCHが配置されたPRBを決定する決定部と、
を具備し、
前記RBGサイズが４PRBであり、前記複数のPRBが６PRBである場合、前記Narrowbandは、
前記６PRBうちの周波数がより低い４PRBから成る第１グループが１つのRBGに対応し、周波数がより高い残りの２PRBから成る第２グループがRBGの一部に対応する第１タイプのNarrowbandと、
前記６PRBうちの周波数がより高い４PRBから成る第３グループが１つのRBGに対応し、周波数がより低い残りの２PRBから成る第４グループがRBGの一部に対応する第２タイプのNarrowbandと、を含み、
前記第１のNarrowbandの前記第１グループに含まれるリソースと、前記第２のNarrowbandの前記第３グループに含まれるリソースとは、前記リソース割当ビットの同一の値に対応付けられ、
前記第１のNarrowbandの前記第２グループに含まれるリソースと、前記第２のNarrowbandの前記第４グループに含まれるリソースとは、前記リソース割当ビットの同一の値に対応付けられる、
端末。
【請求項１２】
MTC（Machine-Type Communications）に用いられるPDCCH（Physical Downlink Control Channel）であるMPDCCHが割り当てられるNarrowbandの周波数位置を定義するためのオフセットと、システム帯域中のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットと異なるPRB（Physical resource block）数を有する第２のEPDCCHセットの配置を決定し、
前記第１のEPDCCHセットの配置および前記第２のEPDCCHの配置に基づいて、制御信号を送信し、
前記第１のEPDCCHセットおよび前記第２のEPDCCHセットは、少なくとも一方のEPDCCHセットが衝突するRBG数が最小となるように配置される、
送信方法。
【請求項１３】
MTC（Machine-Type Communications）に用いられるPDCCH（Physical Downlink Control Channel）であるMPDCCHが割り当てられるNarrowbandの周波数位置を定義するためのオフセットと、システム帯域のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットと異なるPRB（Physical resource block）数を有する第２のEPDCCHセットの配置を決定し、
前記第１のEPDCCHセットの配置および前記第２のEPDCCHの配置に基づいて、制御信号を受信し、
前記第１のEPDCCHセットおよび前記第２のEPDCCHセットは、少なくとも一方のEPDCCHセットが衝突するRBG数が最小となるように配置される、
受信方法。
【発明の詳細な説明】
【技術分野】
【０００１】
本開示は、MTC (Machine-Type Communications)に用いられる基地局、端末、送信方法および受信方法に関する。
【背景技術】
【０００２】
近年、セルラネットワークを使用したMachine-Type Communications (MTC)が検討されている（例えば非特許文献１参照）。MTCは、スマートメータの自動検針、在庫管理、位置情報を利用した物流管理、ペット・家畜管理、またはモバイル決裁等への用途が考えられている。MTCでは、MTC端末とネットワークとが接続することが想定されている。MTC端末は大量に配置されるが、１つ１つのMTC端末のトラフィック量はそれほど多くないことが予想されている。そのため、MTC端末は低コスト、低消費電力であることが望まれる。また、MTC端末を電波が届きにくいビルの地下などに配置することも考えられるので、カバレッジの拡張も求められている。【０００３】
3GPPで標準化されているLTE-Advancedの拡張では、MTC端末の低コスト実現のため、MTC端末が通信に使用するリソースを、システム帯域にかかわらず、6つのPRB(Physical resource block)以下に限定することが検討されている。システム帯域が6つのPRBよりも広い場合、MTC端末はシステム帯域の一部のみを受信して送受信する。送受信に使用するPRBはretuningにより変更できる。この6PRB以下のリソースをNarrowbandと呼ぶ。Narrowbandは連続するPRBで構成することが定められている。Narrowbandの定義として、帯域の端から6PRBずつ分割してNarrowbandを構成する方法や、帯域の中心から分割してNarrowbandを構成する方法などが提案されている（例えば非特許文献２参照）。【０００４】
LTEでは、システム帯域に含まれるRB数に応じて、１つのRBG（Resource Block Group）を構成するRB数を示すRBGサイズが定められている。RBGは、RBGサイズで規定される個数の連続するPRBを帯域の端から順に区切ることにより得られるリソースである。RBGサイズは、DLのリソース割り当てtype 0、type 1に使用されるパラメータである。リソース割り当てtype 0では、RBG単位でリソースが割り当てられる。type 1では、それぞれのRBGを構成する複数のRBは、いずれかのサブセットに所属する。サブセットの数はRBGサイズと同一である。リソース割り当ては、まずサブセットが選択され、選択されたサブセットに属するRBG内のPRBに対してPRBごとに割り当てることにより行われる。このように、RBGは、従来端末（legacy UE）のリソース割り当ての単位にかかわっている。【０００５】
MTC端末用の制御信号として、EPDCCH(Enhanced Physical Downlink Control CHannel)をMTC用に拡張するMPDCCHが検討されている。MPDCCHはNarrowbandに配置される。カバレッジ拡張のため、MPDCCHをNarrowbandに含まれる6つのPRB pairすべてに割り当てる方法が検討されている。このとき、1つのECCEが4つのEREGで構成される場合、6つのPRB pairに含まれるECCEの数は24となる。ECCEおよびEREGは、EPDCCHを割り当てる際の単位であり、1PRB pairあたり、16EREGが含まれる。ECCEは、１つのECCEが同一PRB pairに属する複数のEREGで構成されるlocalized割り当てと、１つのECCEが異なるPRB pairに属する複数のEREGで構成されるdistributed割り当てがある。なお、PRB pairとはリソースの単位であり、1subframe(時間方向)×12サブキャリア(周波数)である。周波数軸上のみを示す場合、PRB pairは単にPRBと呼ばれることもある。
【先行技術文献】
【非特許文献】
【０００６】
【非特許文献１】3GPP TR 36.888 V12.0.0  Machine-Type Communications (MTC) User Equipments (UEs) based on LTE
【非特許文献２】R1-153567 “WF on Narrowband Definition for Rel-13 MTC UEs”
【発明の概要】
【０００７】
MTC端末用に設定されるNarrowbandの定義は、セルごとに異なる可能性がある。Narrowbandの定義とは、どのPRBでNarrowbandが構成されるかである。特にULでは、従来端末(legacy UE)向けにPUCCHリソースが確保され、その従来端末向けのPUCCHリソースがMTCのNarrowbandに含まれないように設定することが考えられる。PUCCHリソースの量はセルごとに異なるので、Narrowbandの定義もセルごとに異なることが考えられる。さらに、TDDではDLとULが同じNarrowbandの定義となることが定められており、FDDでも、DLのNarrowbandとULのNarrowbandの間隔を一定に保つという要求がある場合がある。この場合、DLとULとで、Narrowbandの定義を同一にすることが求められる。DLとULとでNarrowbandの定義が同一である場合、DLのNarrowbandは、ULのPUCCHリソース量に影響を受ける。
【０００８】
セルごとにNarrowbandの定義が異なると、Narrowband内に含まれるRBGが、セルごとに異なる場合がある。MPDCCH配置とRBGとの関係もセルごとに異なり、MPDCCHによって、従来端末に使用できなくなるRBGもセルごとに異なり、1つのMPDCCHが不必要に多くのRBGを占領する可能性がある。
【０００９】
本開示の一態様は、MPDCCHの使用に起因して使用できなくなるRBG数を低減でき、基地局ごとに異なるオフセットに合わせて細かくMPDCCHの設定を通知する必要がない、基地局および端末を提供する。
【００１０】
本開示の一態様に係る基地局は、MTCに用いられるPDCCH（Physical Downlink Control Channel）であるMPDCCHが割り当てられるNarrowbandの周波数位置を定義するためのオフセットと、システム帯域中のリソースブロックグループ（RBG:Resource Block Group）サイズと、に基づいて、MPDCCHを構成する、第１のEPDCCH（Enhanced Physical Downlink Control Channel）セットの配置、および、第１のEPDCCHセットと異なるPRB（Physical resource block）数を有する第２のEPDCCHセットの配置を決定する決定部と、第１のEPDCCHセットの配置および第２のEPDCCHセットの配置に基づいて、制御信号を送信する送信部と、を具備し、上記決定部は、第１のEPDCCHセットおよび第２のEPDCCHセットを、少なくとも一方のEPDCCHセットが衝突するRBG数が最小となるように配置する。
【００１１】
本開示の一態様に係る基地局は、連続する複数のPRB（Physical Resource Block）で構成されるNarrowbandの周波数位置を定義するためのオフセットと、システム帯域中のリソースブロックグループ（RBG：Resource Block Group）サイズと、Narrowbandのタイプとに基づいて、NarrowbandにおいてPDSCH（Physical Downlink Shared Channel）を配置するPRBを決定する決定部と、決定されたPRBを通知するためのリソース割当ビット、および、決定されたPRBに配置されたPDSCHを送信する送信部と、を具備し、RBGサイズが４PRBであり、複数のPRBが６PRBである場合、Narrowbandは、６PRBうちの周波数がより低い４PRBからなる第１グループが１つのRBGに対応し、周波数がより高い残りの２PRBからなる第２グループがRBGの一部に対応する第１タイプのNarrowbandと、６PRBうちの周波数がより高い４PRBからなる第３グループが１つのRBGに対応し、周波数がより低い残りの２PRBから成る第４グループがRBGの一部に対応する第２タイプのNarrowbandと、を含み、第１のNarrowbandの第１グループに含まれるリソースと、第２のNarrowbandの前記第３グループに含まれるリソースとは、リソース割当ビットの同一の値に対応付けられ、第１のNarrowbandの第２グループに含まれるリソースと、第２のNarrowbandの前記第４グループに含まれるリソースとは、リソース割当ビットの同一の値に対応付けられる。
【００１２】
本開示の一態様に係る端末は、MTCに用いられるPDCCH（Physical Downlink Control Channel）であるMPDCCHが割り当てられるNarrowbandの周波数位置を定義するためのオフセットと、システム帯域中のリソースブロックグループ（RBG:Resource Block Group）サイズと、に基づいて、MPDCCHを構成する、第１のEPDCCH（Enhanced Physical Downlink Control Channel）セットの配置、および、第１のEPDCCHセットとは異なるPRB（Physical resource block）数を有する第２のEPDCCHセットの配置を決定する決定部と、第１のEPDCCHセットおよび第２のEPDCCHの配置に基づいて、制御信号を受信する受信部と、を具備し、上記決定部は、第１のEPDCCHセットおよび第２のEPDCCHセットを、少なくとも一方のEPDCCHセットが衝突するRBG数が最小となるように配置する。
【００１３】
本開示の一態様に係る端末は、基地局からのリソース割当ビット、および、PRB（Physical Resource Block）に配置されたPDSCH（Physical Downlink Shared Channel）を受信する受信部と、連続する複数のPRBで構成されるNarrowbandの周波数位置を定義するためのオフセットと、システム帯域のリソースブロックグループ（RBG：Resource Block Group）サイズと、Narrowbandのタイプと、リソース割当ビットとに基づいて、NarrowbandにおいてPDSCHが配置されたPRBを決定する決定部と、を具備し、RBGサイズが４PRBであり、複数のPRBが６PRBである場合、Narrowbandは、６PRBうちの周波数がより低い４PRBからなる第１グループが１つのRBGに対応し、周波数がより高い残りの２PRBからなる第２グループがRBGの一部に対応する第１タイプのNarrowbandと、６PRBうちの周波数がより高い４PRBからなる第３グループが１つのRBGに対応し、周波数がより低い残りの２PRBからなる第４グループがRBGの一部に対応する第２タイプのNarrowbandと、を含み、第１のNarrowbandの第１グループに含まれるリソースと、第２のNarrowbandの第３グループに含まれるリソースとは、リソース割当ビットの同一の値に対応付けられ、第１のNarrowbandの第２グループに含まれるリソースと、第２のNarrowbandの第４グループに含まれるリソースとは、リソース割当ビットの同一の値に対応付けられる。
【００１４】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１５】
本開示の一態様によれば、MPDCCHの使用に起因して使用できなくなるRBG数を低減でき、基地局ごとに異なるオフセットに合わせて細かくMPDCCHの設定を通知する必要がなくなる。
【００１６】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１７】
【図１】実施の形態に係る基地局の要部構成を示すブロック図
【図２】実施の形態に係る端末の要部構成を示すブロック図
【図３】RBG サイズが2の場合の、Narrowband とRBGの関係を示す図
【図４】オフセット0の場合の配置方法を示す図
【図５】オフセット1の場合の配置方法を示す図
【図６】RBG サイズが3の場合の、Narrowband とRBGの関係を示す図
【図７】オフセット0の場合の配置方法を示す図
【図８】オフセット1, 2の場合の配置方法を示す図
【図９】RBG サイズが4の場合の、Narrowband とRBGの関係を示す図
【図１０】オフセット0, 2の場合の配置方法を示す図
【図１１】オフセット1の場合の配置方法を示す図
【図１２】オフセット3の場合の配置方法を示す図
【図１３】実施の形態に係る基地局の構成を示すブロック図
【図１４】実施の形態に係る端末の構成を示すブロック図
【図１５】帯域あたり1ビットのRRCシグナリングで、Narrowband内のMPDDCHを割り当てる場合の配置例を示す図
【図１６】帯域あたり2ビットのRRCシグナリングで、Narrowband内のMPDDCHを割り当てる場合の配置例を示す図
【図１７】周波数ホッピングを伴うリピティションが適用された場合のリソース割り当て例を示す図
【図１８】PDSCHが割り当てられるNarrowbandがType AかType Bかによって、Narrowband内でPDSCHを割り当てるPRBの配置を変更する動作例を示す図
【図１９】実施の形態３のミラーリングの説明に供する図
【図２０】実施の形態３のサイクリックシフトの説明に供する図
【図２１】実施の形態３のサイクリックシフトの説明に供する図
【図２２】実施の形態３の基地局の構成を示すブロック図
【図２３】実施の形態３の端末の構成を示すブロック図
【発明を実施するための形態】
【００１８】
以下、本開示の実施の形態について、図面を参照して詳細に説明する。
【００１９】
図１は本開示の実施の形態１、２に係る基地局１００の要部構成を示すブロック図である。図１に示す基地局１００において、決定部（MPDCCH配置決定部）１０３は、MPDCCHを構成する、第１のEPDCCH(Enhanced Physical Downlink Control CHannel)セット、および、第１のEPDCCHセットとは異なるPRB(Physical resource block)数を有する第２のEPDCCHセットの配置を決定する。第１のEPDCCHセット及び第２のEPDCCHセットの決定は、MPDCCHが割り当てられるNarrowbandの周波数位置を定義するためのオフセットと、システム帯域のリソースブロックグループ（RBG:Resource Block Group）サイズと、に基づいて行われる。ここで、MPDCCH は、MTCに用いられるPDCCH（Physical Downlink Control Channel）を示す。送信部１０７は、第１のEPDCCHセットおよび第２のEPDCCHセットの配置に基づいて、制御信号を送信する。また、決定部１０３は、第１のEPDCCHセットおよび第２のEPDCCHセットを、少なくとも一方のEPDCCHセットが衝突するRBG数が最小となるように配置する。
【００２０】
図２は、本開示の実施の形態１、２に係る端末２００の要部構成を示すブロック図である。図２に示す端末２００において、決定部（MPDCCH配置決定部）２０７は、MPDCCHを構成する、第１のEPDCCHセット、および、第１のEPDCCHセットとは異なるPRB数を有する第２のEPDCCHセットの配置を決定する。第１のEPDCCHセット及び第２のEPDCCHセットの決定は、MPDCCHが割り当てられるNarrowbandの周波数位置を定義するためのオフセットと、システム帯域のリソースブロックグループ（RBG:Resource Block Group）サイズと、に基づいて、行われる。受信部１０８は、第１のEPDCCHセットおよび第２のEPDCCHの配置に基づいて、制御信号を受信する。また、決定部２０７は、第１のEPDCCHセットおよび第２のEPDCCHセットを、少なくとも一方のEPDCCHセットが衝突するRBG数が最小となるように配置する。
【００２１】
(実施の形態１)
本実施の形態では、Narrowbandのサイズを6PRBsとし、MPDCCHを2つのEPDCCH PRB setで形成する。EPDCCH set 0は4つのPRBで構成され、EPDCCH set 1は2PRBで構成されるとする。
【００２２】
＜動作例  RBGサイズ  2＞
RBG サイズが2の場合、Narrowband とRBGとの位置関係は、図３に示すように、オフセットの値によって2パターンある。オフセットが0の場合、1つのNarrowband内に3つのRBGが含まれる。オフセットが1の場合、1つのNarrowband内に4つのRBGが含まれ、4つのRBGのうち、両端のRBGは1PRBずつと含む。
【００２３】
オフセットが0の場合、EPDCCH set 1 (2PRBs)がNarrowband中の1つのRBGに対応し、EPDCCH set 0(4PRBs)が残りの2つのRBGに対応するようにMPDCCHを配置する。配置方法は、図４に示すように、3つのケースがある。Case 1とCase 3では、EPDCCH set 0が連続する4PRBsに配置されている。これらの配置は、EPDCCH set 0に対して、この4PRBsに対応するアンテナのプリコーディングを同一に設定するため、DMRS(demodulation reference signal)の受信品質を向上させるPRB bundlingに適した割り当てである。一方、Case 2は、EPDCCH set 0が両端の2PRBsに配置されているので、EPDCCH set0のNarrowband内で周波数ダイバーシチ効果がある。
【００２４】
オフセットが1の場合の配置方法は、図５に示すように3つのケースがある。Case 1では、EPDCCH set 0 (4PRBs)がNarrowband中の2つのRBGに対応し、EPDCCH set 1が残りのRBGに対応するようにMPDCCHを配置する方法。Case 2とCase 3では、EPDCCH set 1 (2PRBs)がNarrowband中の1つのRBGに対応し、EPDCCH set 0が残りのRBGに対応するようにMPDCCHを配置する。すなわち、Case 1では、EPDCCH set 0が2つのRBGに配置され、EPDCCH set 1が2つのRBGに配置される。Case 2とCase 3では、EPDCCH set 0が3つのRBGに配置され、EPDCCH set 1が1つのRBGに配置される。したがって、Case 1では、EPDCCH set 0が配置されるRBG数がCase 2とCase 3と比較して少ないので、EPDCCH set 0を使用する頻度が高い場合に適している。一方、Case 2とCase 3では、EPDCCH set 1が配置されるRBG数がCase 1と比較して少ないので、EPDCCH set 1を使う頻度が高い場合に適している。
【００２５】
＜動作例  RBGサイズ  3＞
RBG サイズが3の場合、Narrowband とRBGとの位置関係は、図６に示すように、オフセットの値によって3パターンある。オフセットが0の場合、1つのNarrowband内に2つのRBGが含まれる。オフセットが1の場合とオフセットが2の場合、1つのNarrowband内に3つのRBGが含まれ、各RBGのリソースの中でNarrowbandとして用いられるリソースは、それぞれ3PRBs, 2PRBs, 1PRBsとなる。
【００２６】
オフセットが0の場合、EPDCCH set 1(2PRBs)を片方のRBGの2PRBに配置し、EPDCCH set0を残りの1PRBと、もう片方のRBGの3PRBsの合計4PRBsに配置する。オフセットが0の場合の配置方法は図７に示すように6ケース考えられる。Case 1と Case 4は、EPDCCH set 0が連続する4PRBsに配置されているので、EPDCCH set 0のPRB bundlingに適した割り当てである。また、Case 2、Case 3、Case 5、Case 6は、EPDCCH set 0のNarrowband内で周波数ダイバーシチ効果がある。
【００２７】
オフセットが1またはオフセットが2の場合、EPDCCH set 1(2PRBs)を、Narrowbandに2PRBs含まれるRBGに対応するPRBに配置し、EPDCCH set 0(4PRBs)を1PRB含まれるRBGに対応するPRBと3PRBs含まれるRBGに対応するPRBに配置する。オフセット1とオフセット2の場合、図８に示すようにEPDCCHの配置は一意に決まる。
【００２８】
RBGサイズ3の場合、このように配置することで、EPDCCH set 1が配置されるRBGの数を常に１にでき、EPDCCH set 0が配置されるRBGの数を常に2にできる。
【００２９】
＜動作例  RBGサイズ  4＞
RBG サイズが4の場合、NarrowbandとRBGとの位置関係は、図９に示すように、オフセットの値によって4パターンある。また、連続する2つのNarrowbandでは、Narrowband内に含まれるRBGの配置が異なる。オフセット0とオフセット2の場合、1つのNarrowband内に2つのRBGを含み、1つのRBGのリソースのうちNarrowbandに用いられるリソースは4PRBsであり、もう片方のRBGのリソースのうちNarrowbandに用いられるリソースは2PRBsである。4PRBsのRBGがNarrowbandの上端に配置される場合と、下端に配置される場合が交互にある。オフセット1とオフセット3の場合、1つのNarrowband内に2つのRBGを含む場合と、3つのRBGを含む場合が交互にある。1つのNarrowband内に2つのRBGを含む場合、2つのRBGの各々のリソースのうちNarrowbandに用いられるリソースは、ともに3PRBsとなる。1つのNarrowbandに3つのRBGを含む場合、1つのRBGのリソースのうちNarrowbandに用いられるリソースは4PRBsすべてであり、その他2つのRBGのリソースのうちNarrowbandに用いられるリソースは、1PRBずつとなる。
【００３０】
オフセット0とオフセット2の場合、EPDCCH set 0(4PRBs)がNarrowband内に4PRBsを含むRBGに対応するPRBsに配置し、EPDCCH set 1(2PRBs)をNarrowband内に2PRBsを含むRBGに対応するPRBsに配置する。オフセット0とオフセット2では、図１０に示すようにEPDCCHの配置は一意に決まる。
【００３１】
オフセット1とオフセット3の場合、1つのNarrowband内に2つのRBGを含む場合と、3つのRBGを含む場合で、EPDCCHの割り当てを変える。1つのNarrowband内に2つのRBGを含む場合、それぞれのRBGに含まれるPRB数は3である。そこで、EPDCCH set 1(2PRBs)を片方のRBGの2PRBに配置し、EPDCCH set 0(4PRBs)を残りの1PRBと、もう片方のRBGの3PRBに配置する。配置方法は図１１および図１２に示すように、4つのケースが考えられる。このように配置すると、EPDCCH set 1(2PRBs)が配置されるRBG数を1にできる。また、1つのNarrowband内に3つのRBGを含む場合、EPDCCH set0(4PRBs)をNarrowbandの中心に位置する4PRBsを含むRBGに対応するPRBsに配置し、Narrowbandの両端に位置する1PRBをそれぞれ含むRBG2つにEPDCCH set1(2PRBs)を配置する。このようにすると、EPDCCH set 0(4PRBs)が配置されるRBG数を１にできる。
【００３２】
このように、オフセット1とオフセット3の場合、NarrowbandとRBGとの位置関係においてNarrowbandごとにEPDCCH setの割り当てを変えると、それぞれのNarrowband内で１つのEPDCCH setが配置されるRBG数を低くすることができる。これにより、EPDCCHに使用しないRBGを他の端末や、MTC端末のデータ信号に割り当てることができる。
【００３３】
RBGサイズ4の場合、NarrowbandごとにRBGとの対応関係が異なるが、本実施の形態により、対応関係ごとにMPDCCHの設定を通知する必要がなくなる。
【００３４】
＜1つのオフセットに対して、複数のケースがある場合＞
1つのオフセットに対して、NarrowbandとRBGとの位置関係として複数のケースがある場合、基地局とMTC端末は、あらかじめどのケースを使用するか共有しておいてもよいし、どのケースを使用するか基地局からMTC端末に通知してもよい。どのケースを使用するかを共有している場合、RBGサイズ2では、オフセット0のCase 1とオフセット1のCase 1というように、同一のケースを設定してもよいし、オフセット0のCase 1とオフセット1のCase 2というように異なるケースでもよい。RBGサイズ2の同一ケースは、オフセット0とオフセット1でサイクリックシフトの関係になっている。オフセット0においてPRB#0に割り当てられていたEPDCCH setが、オフセット1のPRB#6に割り当てられており、オフセット0においてPRB#1〜5に割り当てられていたEPDCCH setは、オフセット1においても同一EPDCCH setが割り当てられている。
【００３５】
＜基地局の構成＞
図１３は、本実施の形態に係る基地局の構成を示すブロック図である。図１３において、基地局１００は、Narrowband設定部１０１と、MPDCCH生成部１０２と、MPDCCH配置決定部１０３と、誤り訂正符号化部１０４と、変調部１０５と、信号割当部１０６と、送信部１０７と、受信部１０８と、信号分離部１０９と、復調部１１０と、誤り訂正復号部１１１とを有する。
【００３６】
Narrowband設定部１０１は、図示していない他の基地局が保持しているユーザ数、PUCCHリソースの必要量、MTC端末の回線品質等の情報より、Narrowbandの設定すなわちオフセットを決定する。このオフセットより、RBGとNarrowbandの関係が決定する。Narrowbandの設定を上位レイヤのシグナリングで通知するため、Narrowband設定部１０１によって設定されたオフセット量は、誤り訂正符号化部１０４へ出力される。また、オフセット量は、MPDCCH配置決定部１０３および信号分離部１０９へも出力される。
【００３７】
MPDCCH配置決定部１０３は、Narrowband設定部１０１から入力されるNarrowbandのオフセット量と、図示していない帯域幅から定まるRBGサイズから、EPDCCH set 0とEPDCCH set 1の配置を決定する。配置方法の基準は、基地局とMTC端末とあらかじめ共通に保持されており、EPDCCH set 0またはEPDCCH set 1が配置されるRBG数が最小となるように配置される。決定したMPDCCHの配置は、信号割当部１０６へ出力される。
【００３８】
MPDCCH生成部１０２は、MTC端末宛の制御情報であるMPDCCHを生成し、EPDCCH set 0またはEPDCCH set 1のどちらかあるいは両方に送信する信号を生成し、信号割当部１０６へ出力する。
【００３９】
誤り訂正符号化部１０４は、送信データ信号（DLデータ信号）、および、Narrowband設定部１０１から受け取る上位レイヤのシグナリングを入力とし、入力された信号を誤り訂正符号化し、変調部１０５へ出力する。変調部１０５は、誤り訂正符号化部１０４から受け取った信号に対して変調処理を施し、変調後の信号を信号割当部１０６へ出力する。
【００４０】
信号割当部１０６は、送信データ信号、上位レイヤのシグナリング、制御信号であるMPDCCHを割り当てる。MPDCCHは、MPDCCH配置決定部１０３から入力されるEPDCCH set 0およびEPDCCH set 1のNarrowbandにおける配置に基づき、割り当てられる。送信データ信号および上位レイヤのシグナリングも、MTC端末向けの信号は、Narrowbandに割り当てられる。MPDCCHを配置しなかったリソースには、送信データ信号および上位レイヤのシグナリングを割り当てることもできる。こうして制御信号およびデータ信号が所定のリソースに割り当てられることにより、送信信号が形成される。形成された送信信号は、送信部１０７へ出力される。
【００４１】
送信部１０７は、入力信号に対してアップコンバート等の無線送信処理を施し、アンテナを介して端末２００へ送信する。
【００４２】
受信部１０８は、端末２００から送信された信号をアンテナを介して受信し、信号分離部１０９へ出力する。信号分離部１０９は、Narrowband設定部１０１から入力される情報に基づき受信信号を分離し、復調部１１０へ出力する。復調部１１０は、入力信号に対して復調処理を施し、得られた信号を誤り訂正復号部１１１へ出力する。誤り訂正復号部１１１は、入力信号を復号し、端末２００からの受信データ信号を得る。
【００４３】
＜MTC端末の構成＞
図１４は、本実施の形態に係るMTC端末の構成を示すブロック図である。図１４において、端末２００は、受信部２０１と、信号分離部２０２と、復調部２０３と、誤り訂正復号部２０４と、Narrowband設定部２０５と、MPDCCH受信部２０６と、MPDCCH配置決定部２０７と、誤り訂正符号化部２０８と、変調部２０９と、信号割当部２１０と、送信部２１１とを有する。
【００４４】
受信部２０１は、Narrowband設定部２０５から受け取るNarrowbandの定義に基づき、どのNarrowbandに信号が割り当てられているかを、あらかじめ定められているパターンに基づいて特定し、Narrowbandにretuningする。受信部２０１は、受信信号をアンテナを介して受信し、ダウンコンバート等の受信処理を施した後に信号分離部２０２へ出力する。
【００４５】
信号分離部２０２は、MPDCCH配置決定部２０７から入力されるEPDCCH set 0およびEPDCCH set 1に基づき、MPDCCH信号を分離し、MPDCCH受信部２０６へ出力する。また、MPDCCH受信部２０６から入力されるDLの割り当て情報に基づき、DLデータ信号をおよび上位レイヤのシグナリングを復調部２０３へ出力する。
【００４６】
復調部２０３は、受信信号を復調し、当該復調された信号を誤り訂正復号部２０４へ出力する。
【００４７】
誤り訂正復号部２０４は、復調部２０３から出力された復調信号を復号し、得られた受信データ信号を出力する。また、誤り訂正復号部２０４は、上位レイヤのシグナリングとして得られたNarrowbandのオフセット情報をNarrowband設定部２０５へ出力する。
【００４８】
Narrowband設定部２０５は、帯域幅およびNarrowbandのオフセット情報に基づき、Narrowbandの定義を設定する。Narrowbandの定義は、MPDCCH配置決定部２０７、送信部２１１、受信部２０１へ出力する。
【００４９】
MPDCCH配置決定部２０７では、Narrowband設定部２０５から入力されるNarrowbandのオフセット量と、図示していない帯域幅から定まるRBGサイズから、EPDCCH set 0とEPDCCH set 1の配置を決定する。配置方法の基準は、基地局とMTC端末とあらかじめ共通に保持されており、EPDCCH set 0またはEPDCCH set 1が配置されるRBG数が最小となるように配置される。決定したMPDCCHの配置は、信号分離部２０２へ出力される。
【００５０】
MPDCCH受信部２０６は、信号分離部２０２から受け取るMPDCCH信号を、EPDCCH set 0およびEPDCCH set 1ごとのサーチスペースまたは両方をあわせたサーチスペースに対してブラインド復号をし、DL信号の割り当て情報またはUL信号の割り当て情報を含む制御信号であるMPDCCHを検出する。
【００５１】
誤り訂正符号化部２０８は、送信データ信号（ULデータ信号）を入力とし、その送信データ信号を誤り訂正符号化し、変調部２０９へ出力する。変調部２０９は、誤り訂正符号化部２０８からの信号を変調し、変調信号を信号割当部２１０へ出力する。
【００５２】
信号割当部２１０は、入力された送信信号を、MPDCCH受信部２０６から受け取るUL割り当て情報に基づき割り当て、送信部２１１へ出力する。
【００５３】
送信部２１１は、Narrowband設定部２０５から入力されるNarrowbandの定義と、あらかじめ定められているパターンに基づいてULデータを割り当てるNarrowbandリソースを特定し、retuningし、入力信号に対してアップコンバート等の送信処理を施し、送信する。
【００５４】
＜他の形態＞
なお、上記実施の形態１では、１つのNarrowbandが6つのPRBsを含む場合を示したが、１つのNarrowbandが5PRBsを含み、3PRBsのEPDCCH setと2PRBsのEPDCCH setを配置する場合にも適用できる。
【００５５】
この場合、RBGサイズ2では、2PRBsのEPDCCH setをNarrowband中に2PRBsを含むRBGに割り当て、残りのPRBsに3PRBsのEPDCCH setを割り当てる。
【００５６】
RBGサイズ3では、3PRBsのEPDCCH setをNarrowband中に3PRBsを含むRBGに割り当て、残りのPRBsに2PRBsのEPDCCH setを割り当てる。
【００５７】
RBGサイズ4では、2PRBsのEPDCCH setをNarrowband中に2PRBsを含むRBGがあれば割り当て、3PRBsのEPDCCH setをNarrowband中に3PRBsを含むRBGがあれば割り当てる。
【００５８】
なお、中心周波数付近において、PSS/SSS/PBCHが配置されるPRBとNarrowbandが重なる場合、MPDCCHの配置を変更してもよい。Narrowband内に、PSS/SSS/PBCHと重なるPRBsと、重ならないPRBsがある場合、重ならないPRBsが4PRBs以上の場合、重ならないPRBsにEPDCCH set0(4PRBs)を配置し、重ならないPRBsが3PRBs以上2PRBs以下の場合、重ならないPRBsにEPDCCH set 1(2PRBs)を配置する。
【００５９】
(実施の形態２)
本実施の形態では、上位レイヤのシグナリング(RRCシグナリング)による、MPDCCHの割り当てについて提示する。基地局は、Narrowband内のどのPRBにEPDCCH set 0とEPDCCH set 1を割り当てるかについての情報を、RRCシグナリングで通知する。その際、シグナリングで通知されるパラメータの中に、実施の形態１の割り当て方法が含まれる。基地局は、MPDCCHの配置方法を複数の配置方法から選択できるので、MPDCCH配置の柔軟性が向上する。シグナリングで通知されるパラメータが実施の形態１の割り当て方法を含むことで、基地局ごとに異なるオフセットに合わせて細かくMPDCCHの設定を通知する必要がない。また、特にRBG4の場合、NarrowbandごとにRBGとの対応関係が異なるが、対応関係ごとにMPDCCHの設定を通知する必要がない。
【００６０】
＜動作例  帯域あたり1ビット＞
帯域あたり1ビットのRRCシグナリングで、Narrowband内のMPDDCHを割り当てる場合、ビット0をあらかじめ定めている配置、ビット1を実施の形態１のサイズおよびオフセットによって定まる配置とする例を、図１５に示す。本例では、同一オフセットに複数ケースがある場合、すべてCase 1とした。
【００６１】
基地局は、RRCシグナリングで実施の形態１に基づく割り当て、すなわちEPDCCH setが配置されるRBGを少なくする割り当てとするか、他の割り当て、例えば図１５のRRCシグナリングビット0に示すような割り当てとするかを選択し、MTC端末に通知する。
【００６２】
通知されたMTC端末は、ビット0の場合、あらかじめ定められた配置と認識し、ビット1の場合、RBG数およびオフセットから、MPDCCHの配置を認識する。特に、RBGサイズ4の場合、NarrowbandとRBGとの位置関係から、同一のオフセットであっても、2種類のMPDCCH配置パターンがある。
【００６３】
図１５のRRCシグナリングのビット0に示す配置は、EPDCCH set 0とEPDCCH set 1のPRBの配置の端と端が５PRBとなっており、EPDCCH set 0とEPDCCH set 1ともに、周波数ダイバーシチ効果を得られる割り当てになっている。したがって、基地局は、周波数ダイバーシチ効果を重視する場合、RRCシグナリングでビット０を通知し、RBG単位での割り当てを重視する場合はビット１を通知することで、柔軟な設定が可能となる。
【００６４】
帯域あたり2ビットのRRCシグナリングで、Narrowband内のMPDDCHを割り当てる場合、ビット00, 01, 10をあらかじめ定めている配置、ビット11を実施の形態１のサイズおよびオフセットによって定まる配置とする。例を図１６に示す。本例では、同一オフセットに複数ケースがある場合、すべてCase 2とした。この配置では、ビット00で通知される配置と、RBGサイズ3、オフセット1の配置が同じとなる。MTC端末はどちらのビットで割り当てられても、同じ配置と認識する。また、ビット０１に対応する配置は、図１６のビット０に対応する配置と同様であり、周波数ダイバーシチ効果が高い配置である。
【００６５】
(実施の形態３)
＜前提＞
MTCでは、セルのカバレッジを拡張(coverage enhancement)するために、信号のリピティションを行うことが検討されている。基地局が同一の信号を複数サブフレームにまたがって繰り返し送信することで、MTC端末は複数の信号を合成し受信品質を向上させる。さらに、周波数ホッピングを適用し、ある一定周期ごとに送受信に使用するNarrowbandの周波数位置を変更し、周波数ダイバーシチゲインを得ることも検討されている。また、複数のホッピングのパターンは、基地局と端末で事前に共有しておき、ホッピングパターンごとに、どのNarrowbandにホッピングするかを定めておく。この場合、MPDCCHで送信されるDCI(Downlink Control Information)では、どの周波数ホッピングパターンを割り当てるかを通知する。
【００６６】
また、RBGサイズ４の場合、図９に示すように、Narrowbandのオフセットが定まっても、NarrowbandによってNarrowband内に含まれるRBGの配置が異なる。オフセット0とオフセット2の場合、1つのNarrowband内に2つのRBGを含み、1つは4PRBsであり、もう片方は2PRBsである。4PRBsのRBGがNarrowbandの上端に配置される場合(Type B)と、下端に配置される場合(Type A)が周波数軸上に交互にある。
【００６７】
＜課題および対策＞
RBGサイズ４において、周波数ホッピングを伴うリピティションが適用されると、Narrowband内のRBG配置が異なるNarrowbandにまたがって、PDSCHが割り当てられる。しかしながら、MPDCCHで送信されるDCIでは、リピティション中のリソース割り当ては一括で割り当てられることが考えられている。図１７に割り当て例を示す。この例ではNarrowband#1を基準としてPDSCHが割り当てられている。Narroband#1はType Bである。PDSCHはRBG#2と同じPRB#8〜#11に割り当てられている。周波数ホッピングによりType AであるNarrowband#2に遷移すると、Narrowband内の割り当ては同じであるが、RBG#３とRBG#4の２つのRBGにまたがったPRB#14〜#17に割り当てられるようになる。このように、RBGサイズ４では、Narrowbandごとに、Narrowband内に含まれるRBGの配置が異なるので、リピティションするPDSCHが不必要に多くのRBGを占領する可能性がある。
【００６８】
そこで、本実施の形態では、RBGサイズ4の場合のMTC端末用DLデータ(PDSCH)の割り当てについて提示する。MPDCCHで割り当てられるMTC端末用PDSCHは、RBGサイズ４の場合、NarrowbandとRBG配置によって、割り当てられるリソースを変更する。このようにすると、RBG単位でPDSCHを割り当てた場合、Narrowbandを遷移しても、MTC端末用PDSCHが配置されるRBG数を制限でき、他の端末のPDSCHや他の信号をRBGに割り当てやすくできる。
【００６９】
＜動作例＞
RBGサイズ４で、PDSCHを割り当てる例を示す。PDSCHが割り当てられるNarrowbandがType AかType Bかによって、Narrowband内でPDSCHを割り当てるPRBの配置を変更する。図１８に動作例を示す。本例では、Type BであるNarrowband#1を基準としてPDSCHが割り当てられている。PDSCHはRBG#2と同じPRB#8〜#11に割り当てられている。周波数ホッピングによりNarrowband Type Aに遷移すると、PDSCHはRBG#3と同じPRB#12〜15に割り当てられる。したがって、Narrobadn#2においても、占領するRBGは１つのみとできる。
【００７０】
本動作例を実現する方法として、2つの方法がある。1つ目はミラーリングで2つ目はサイクリックシフトである。Narrowband内のPRBを割り当てるDCIに含まれるRIV(Resource Indication Value)を6ビットと仮定し、RIV0〜63を用いてビットマップでNarrowband内PRBを割り当てる場合を例として、2つの方法を説明する。6ビットのビットマップでは、RIVの2進数表記の下位ビットからNarrowband内のPRB番号の低いPRBを順に対応させる。RIV22はビット表記では010110であり、Narrowband内のVRB(Virtual resource block)がVRB#0〜#5の場合、VRB#4、VRB#2、VRB#1にリソースを割り当てることを示す。ここでVRBは、PRBにリソース割り当てる前段階で、Narrowband内の割り当てを定めるために使用するRBを示す。
【００７１】
ミラーリングでは図１９に示すように、Narrowband Type Aの割り当てを基準として、Type Bの割り当ては、リソースの割り当てとPRBの配置を周波数方向で反転させる。端末は、割り当てられたリソースがNarrowband Type AかType Bかによって、通知されたRIVが示すNarrowband内のリソースを変える。本例では、まず、6ビットのビットマップのRIVでVRBを割り当て、VRBをNarrowbandのタイプとNarrowbandごとにPRBにマッピングする。VRBからPRBへのマッピングは以下の式で求める。ここで、Yは割り当てられたVRB番号、XはNarrowband内の最小PRB番号を示し、Zは割り当てられるPRB番号を示す。
【００７２】
【数１】
2017017881.tif 000003
【００７３】
上記の式１は、図１９において、VRB#2(Y＝2)が割り当てられた場合、Narroband#0 Type A では、Narrowband内の最小PRB#がPRB#0(X＝0)であるので、割り当てられるPRBはPRB#2(0+2=2)となり、Narrowand#1 Type B では、Narrowband内の最小PRB#がPRB#6(X＝6)であるので、割り当てられるPRBはPRB#9(6+5-2=9)となる。
【００７４】
サイクリックシフトでは、図２０に示すように、Narrowband Type Aの割り当てを基準として、Type Bの割り当ては、リソースの割り当てとPRBの配置を2PRBだけサイクリックシフトする。端末は、割り当てられたリソースがNarrowband Type AかType Bかによって、通知されたRIVが示すNarrowband内のリソースを変える。本例では、ミラーリングと同様にまず、6ビットのビットマップのRIVでVRBを割り当て、VRBをNarrowbandのタイプとNarrowbandごとにPRBにマッピングする。VRBからPRBへのマッピングは以下の式（２）で求める。ここで、Yは割り当てられたVRB番号、XはNarrowband内の最小PRB番号を示し、Zは割り当てられるPRB番号を示す。
【００７５】
【数２】
2017017881.tif 000004
【００７６】
Type Aはミラーリングと同一の式である。Type Bは、シフト量を＋２で表し、Narrowband内のサイクリックシフト演算をモジュロ演算で表している。図２０において、VRB#2(Y＝2)が割り当てられた場合、Narrowand#1 Type Bでは、Narrowband内の最小PRB#がPRB#6(X＝6)であるので、割り当てられるPRBはPRB#10(6+mod(2+2,6)=10)となる。
【００７７】
このように、Narrowband内のリソースを割り当てると、ミラーリング、サイクリックシフトともに、RIV15に示すようにRBG単位でMTC端末用PDSCHを割り当てた場合、Narrowbandを遷移しても、RBG単位の割り当てとなり、他の端末のPDSCHや他の信号をRBGに割り当てやすくできる。また、RBG単位での割り当てのみにミラーリング、サイクリックシフトを適用するのではなく、すべてのリソース割り当てに対してミラーリング、サイクリックシフトを適用するので、RIV15とRIV48を異なるMTCに同時に割り当てた場合、Narrowbandを遷移しても同時に使用できる。
【００７８】
また、サイクリックシフトでは、Narrowband Type A、Type Bに加えて、Type C、Type Dを定義してもよい。図９に示すオフセット1とオフセット3の場合、1つのNarrowband内に2つのRBGを含み、2つとも3PRBsである場合(Type C)と、1つのNarrowband内に3つのRBGを含み、2つのRBGが１PRBであり両端に配置され、1つのPRBが4PRBで中央に配置される場合(Type D)がある。Type CとType Dが周波数軸上に交互に配置される。
【００７９】
図２１では、Type A、Type Bと同様にまず、VRBからPRBへのマッピングは以下の式（３）で求める。ここで、Yは割り当てられたVRB番号、XはNarrowband内の最小PRB番号を示し、Zは割り当てられるPRB番号を示す。
【００８０】
【数３】
2017017881.tif 000005
【００８１】
なお、図１９から図２１では、6ビットのビットマップでMTC端末用のPDSCHを割り当てる例を示したが、他の割り当て方法、たとえばVRBに連続割り当てを適用するDL Type 2割り当てにミラーリングまたはサリクリックシフトを適用してもよい。
【００８２】
＜基地局の構成＞
図２２は、本実施の形態に係る基地局の構成を示すブロック図である。基地局３００は、Narrowband設定部１０１と、PDSCH配置決定部３０１と、MPDCCH生成部３０２と、誤り訂正符号化部１０４と、変調部１０５と、信号割当部１０６と、送信部１０７と、受信部１０８と、信号分離部１０９と、復調部１１０と、誤り訂正復号部１１１とを有する。図２２において、図１３と同じ部分は説明を省略する。
【００８３】
Narrowband設定部１０１は、図示していない他の基地局が保持しているユーザ数、PUCCHリソースの必要量、MTC端末の回線品質等の情報より、Narrowbandの設定すなわちオフセットを決定する。このオフセットより、RBGとNarrowbandの関係が決定する。Narrowbandの設定を上位レイヤのシグナリングで通知するため、Narrowband設定部１０１によって設定されたオフセット量は、誤り訂正符号化部１０４へ出力される。また、オフセット量は、PDSCH配置決定部３０１および信号分離部１０９へも出力される。
【００８４】
PDSCH配置決定部３０１は、Narrowband設定部１０１から入力されるNarrowbandのオフセット量と、図示していない帯域幅から定まるRBGサイズと、図示していないサブフレーム番号とから、MTC端末のDLデータ信号および上位レイヤのシグナリングを割り当てるNarrowbandとNarrowband内のリソースを決定する。PDSCH配置決定部３０１は、RBGサイズが４の場合、Narrowband内のVRBへの割り当てを決定し、NarrowbandのTypeを特定し、Typeに応じてPDSCHを割り当てるリソースを決定する。ミラーリングを適用する場合、Narrowband Type Aの割り当てを基準として、Type Bの割り当ては、リソースの割り当てとPRBの配置を周波数方向で反転させる。サイクリックシフトを適用する場合、Narrowband Type Aの割り当てを基準として、Type Bの割り当ては、リソースの割り当てとPRBの配置を2PRBサイクリックシフトする。決定されたPDSCHの配置は、信号割当部１０６へ出力される。また、Narrowband内のVRBへの割り当てはMPDCCH生成部３０２へ出力される。
【００８５】
MPDCCH生成部３０２は、PDSCH配置決定部３０１から出力されたPDSCH配置情報を入力とし、MTC端末宛の制御情報であるMPDCCHを生成し、信号割当部１０６へ出力する。PDSCH配置情報は、ミラーリングおよびサイクリックシフトを適用する前のVRBへの割り当てである。
【００８６】
信号割当部１０６は、PDSCHに割り当てられるDLデータ信号、上位レイヤのシグナリング、制御信号であるMPDCCHをリソースに割り当てる。MTC用PDSCHは、PDSCH配置決定部３０１に従い割り当てを決める。こうして制御信号およびデータ信号が所定のリソースに割り当てられることにより、送信信号が形成される。形成された送信信号は、送信部１０７へ出力される。
【００８７】
＜MTC端末の構成＞
図２３は、本実施の形態に係るMTC端末の構成を示すブロック図である。図２３において、端末４００は、受信部２０１と、信号分離部２０２と、復調部２０３と、誤り訂正復号部２０４と、Narrowband設定部２０５と、MPDCCH受信部４０１と、PDSCH配置決定部４０２と、誤り訂正符号化部２０８と、変調部２０９と、信号割当部２１０と、送信部２１１とを有する。図２３において、図１４と同じ部分は説明を省略する。
【００８８】
信号分離部２０２は、PDSCH配置決定部４０２から入力されるPDSCH配置情報に基づき、PDSCHに配置されているDLデータ信号および上位レイヤのシグナリングを復調部２０３へ出力する。また、信号分離部２０２は、MPDCCH信号を分離し、MPDCCH受信部４０１へ出力する。
【００８９】
Narrowband設定部２０５は、帯域幅およびNarrowbandのオフセット情報に基づき、Narrowbandの定義を設定する。Narrowband設定部２０５は、Narrowbandの定義を、PDSCH配置決定部４０２、送信部２１１、受信部２０１へ出力する。
【００９０】
PDSCH配置決定部４０２は、RBGサイズが４の場合、Narrowband設定部２０５から入力されるNarrowbandのオフセット量と、図示していないサブフレーム番号とから、NarrowbandのTypeを特定する。PDSCH配置決定部４０２は、MPDCCH受信部４０１から入力されるVRBへの割り当て情報とNarrowbandのTypeとから、PDSCHが割り当てられているリソースを特定する。ミラーリングを適用する場合、Narrowband Type Aの割り当てを基準として、Type Bの割り当ては、リソースの割り当てとPRBの配置を周波数方向で反転させる。サイクリックシフトを適用する場合、Narrowband Type Aの割り当てを基準として、Type Bの割り当ては、リソースの割り当てとPRBの配置を2PRBサイクリックシフトする。決定されたPDSCHの配置は、信号分離部２０２へ出力される。
【００９１】
MPDCCH受信部４０１は、信号分離部２０２から受け取ったMPDCCH信号をブラインド復号し、DL信号の割り当て情報またはUL信号の割り当て情報を含む制御信号であるMPDCCHを検出する。
【００９２】
＜他の形態＞
なお、上記実施の形態２では、帯域あたり1ビットまたは2ビットのRRCシグナリングを用いてNarrowband内のMPDDCHを割り当てる場合を示したが、NarrowbandごとにRRCシグナリングを通知してもよい。Narrowbandごとに通知する場合、Narrowband数×Narrowbandごとの通知ビット数のビットを必要とする。このように細かく設定すると、Narrowbandごとに設定を変えることができる。
【００９３】
また帯域幅ごとにあらかじめ定める配置を変えてもよい。このようにすると、あらかじめ定める配置と、オフセットによって定まる配置を重複しないように設定しやすくなる。
【００９４】
また、本開示の一態様は、上記各実施の形態に限定されず、種々変更して実施することが可能である。
【００９５】
また、上記各実施の形態では、本開示の一態様をハードウェアで構成する場合を例にとって説明したが、本開示はハードウェアとの連携においてソフトウェアでも実現することも可能である。
【００９６】
また、上記各実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）または、ＬＳＩ内部の回路セルの接続若しくは設定を再構成可能なリコンフィギュラブル／プロセッサを利用してもよい。
【００９８】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００９９】
本開示の基地局は、MTC（Machine-Type Communications）に用いられるPDCCH（Physical Downlink Control Channel）であるMPDCCHが割り当てられるNarrowbandの周波数位置を定義するためのオフセットと、システム帯域のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットと異なるPRB（Physical resource block）数を有する第２のEPDCCHセットの配置を決定する決定部と、前記第１のEPDCCHセットの配置および前記第２のEPDCCHセットの配置に基づいて、制御信号を送信する送信部と、を具備し、前記決定部は、前記第１のEPDCCHセットおよび前記第２のEPDCCHセットを、少なくとも一方のEPDCCHセットが衝突するRBG数が最小となるように配置する。
【０１００】
本開示の基地局において、前記決定部は、前記RBGサイズが２の場合、連続する２つのPRBからなる前記第１のEPDCCHセットが前記Narrowband中の1つのRBGに対応し、４つのPRBからなる前記第２のEPDCCHのセットが前記Narrowband中の残りのPRBに対応するように、前記MPDCCHを配置する。
【０１０１】
本開示の基地局において、前記決定部は、前記RBGサイズが３の場合、連続する４つのPRBからなる前記第１のEPDCCHセットが前記Narrowband中の2つのRBGに対応し、２つのPRBからなる前記第２のEPDCCHセットが前記Narrowband中の残りのPRBに対応するように、前記MPDCCHを配置する。
【０１０２】
本開示の基地局において、前記決定部は、前記RBGサイズが３の場合、２つのPRBからなる前記第１のEPDCCHセットが前記Narrowband中の２以上のPRBを含むRBGに対応し、４つのPRBからなる前記第２のEPDCCHセットが残りのPRBに対応するように、前記MPDCCHを配置する。
【０１０３】
本開示の基地局において、前記決定部は、前記RBGサイズが４の場合、４つのPRBからなる前記第１のEPDCCHセットが前記Narrowband内に４つのPRBを含むRBGに対応し、２つのPRBからなる前記第２のEPDCCHセットが残りのPRBに対応するように、前記MPDCCHを配置する。
【０１０４】
本開示の基地局において、前記決定部は、前記RBGサイズ４の場合で、前記Narrowband内に４つのPRBを含むRBGがない場合、２つのPRBからなる前記第１のEPDCCHセットが前記Narrowband内に３つのPRBを含むRBGに対応し、４つのPRBからなる前記第２のEPDCCHセットが残りのPRBに対応するように、前記MPDCCHを配置する。
【０１０５】
本開示の基地局は、連続する複数のPRB（Physical Resource Block）で構成されるNarrowbandの周波数位置を定義するためのオフセットと、システム帯域のリソースブロックグループ（RBG：Resource Block Group）サイズと、前記Narrowbandのタイプに基づいて、前記NarrowbandにおいてPDSCH（Physical Downlink Shared Channel）を配置するPRBを決定する決定部と、前記決定されたPRBを通知するためのリソース割当ビット、および、前記決定されたPRBに配置されたPDSCHを送信する送信部と、を具備し、前記RBGサイズが４PRBであり、前記複数のPRBが６PRBである場合、前記Narrowbandは、前記６PRBのうちの周波数がより低い４PRBからなる第１グループが１つのRBGに対応し、周波数がより高い残りの２PRBからなる第２グループがRBGの一部に対応する第１タイプのNarrowbandと、前記６PRBうちの周波数がより高い４PRBからなる第３グループが１つのRBGに対応し、周波数がより低い残りの２PRBから成る第４グループがRBGの一部に対応する第２タイプのNarrowbandと、を含み、前記第１のNarrowbandの前記第１グループに含まれるリソースと、前記第２のNarrowbandの前記第３グループに含まれるリソースとは、前記リソース割当ビットの同一の値に対応付けられ、前記第１のNarrowbandの前記第２グループに含まれるリソースと、前記第２のNarrowbandの前記第４グループに含まれるリソースとは、前記リソース割当ビットの同一の値に対応付けられる。
【０１０６】
本開示の基地局において、前記第１タイプのNarrowbandにおけるPDSCHを配置するPRBと、前記第２タイプのNarrowbandにおけるPDSCHを配置するPRBとの関係は、周波数方向で反転した関係である。
【０１０７】
本開示の基地局において、前記第１タイプのNarrowbandにおけるPDSCHを配置するPRBと、前記第２タイプのNarrowbandにおけるPDSCHを配置するPRBとの関係は、２つのPRB分だけサイクリックシフトした関係である。
【０１０８】
本開示の端末は、MTC（Machine-Type Communications）に用いられるPDCCH（Physical Downlink Control Channel）であるMPDCCHが割り当てられるNarrowbandの周波数位置を定義するためのオフセットと、システム帯域のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットと異なるPRB（Physical resource block）数を有する第２のEPDCCHセットの配置を決定する決定部と、前記第１のEPDCCHセットの配置および前記第２のEPDCCHの配置に基づいて、制御信号を受信する受信部と、を具備し、前記決定部は、前記第１のEPDCCHセットおよび前記第２のEPDCCHセットを、少なくとも一方のEPDCCHセットが衝突するRBG数が最小となるように配置する。
【０１０９】
本開示の端末は、基地局からのリソース割当ビット、および、PRB（Physical Resource Block）に配置されたPDSCH（Physical Downlink Shared Channel）を受信する受信部と、連続する複数のPRBで構成されるNarrowbandの周波数位置を定義するためのオフセットと、システム帯域のリソースブロックグループ（RBG：Resource Block Group）サイズと、前記Narrowbandのタイプと、前記リソース割当ビットとに基づいて、前記NarrowbandにおいてPDSCHが配置されたPRBを決定する決定部と、を具備し、前記RBGサイズが４PRBであり、前記複数のPRBが６PRBである場合、前記Narrowbandは、前記６PRBうちの周波数がより低い４PRBから成る第１グループが１つのRBGに対応し、周波数がより高い残りの２PRBから成る第２グループがRBGの一部に対応する第１タイプのNarrowbandと、前記６PRBうちの周波数がより高い４PRBから成る第３グループが１つのRBGに対応し、周波数がより低い残りの２PRBから成る第４グループがRBGの一部に対応する第２タイプのNarrowbandと、を含み、前記第１のNarrowbandの前記第１グループに含まれるリソースと、前記第２のNarrowbandの前記第３グループに含まれるリソースとは、前記リソース割当ビットの同一の値に対応付けられ、前記第１のNarrowbandの前記第２グループに含まれるリソースと、前記第２のNarrowbandの前記第４グループに含まれるリソースとは、前記リソース割当ビットの同一の値に対応付けられる。
【０１１０】
本開示の送信方法は、MTC（Machine-Type Communications）に用いられるPDCCH（Physical Downlink Control Channel）であるMPDCCHが割り当てられるNarrowbandの周波数位置を定義するためのオフセットと、システム帯域中のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットと異なるPRB（Physical resource block）数を有する第２のEPDCCHセットの配置を決定し、前記第１のEPDCCHセットの配置および前記第２のEPDCCHの配置に基づいて、制御信号を送信し、前記第１のEPDCCHセットおよび前記第２のEPDCCHセットは、少なくとも一方のEPDCCHセットが衝突するRBG数が最小となるように配置される。
【０１１１】
本開示の受信方法は、MTC（Machine-Type Communications）に用いられるPDCCH（Physical Downlink Control Channel）であるMPDCCHが割り当てられるNarrowbandの周波数位置を定義するためのオフセットと、システム帯域のリソースブロックグループ（RBG:Resource Block Group）サイズと、に基づいて、前記MPDCCHを構成する、第１のEPDCCH（Enhanced Physical Downlink Control Channel）セットの配置、および、前記第１のEPDCCHセットと異なるPRB(Physical resource block)数を有する第２のEPDCCHセットの配置を決定し、前記第１のEPDCCHセットの配置および前記第２のEPDCCHの配置に基づいて、制御信号を受信し、前記第１のEPDCCHセットおよび前記第２のEPDCCHセットは、少なくとも一方のEPDCCHセットが衝突するRBG数が最小となるように配置される。
【産業上の利用可能性】
【０１１２】
本開示は、MTC (Machine-Type Communications)に用いられる基地局、端末、送信方法および受信方法に適用し得る。
【符号の説明】
【０１１３】
１００，３００  基地局
１０１，２０５  Narrowband設定部
１０２，３０２  MPDCCH生成部
１０３，２０７  MPDCCH配置決定部
１０４，２０８  誤り訂正符号化部
１０５，２０９  変調部
１０６，２１０  信号割当部
１０７，２１１  送信部
１０８，２０１  受信部
１０９，２０２  信号分離部
１１０，２０３  復調部
１１１，２０４  誤り訂正復号部
２００，４００  端末
２０６，４０１  MPDCCH受信部
３０１，４０２  PDSCH配置決定部
【図１】
2017017881.tif 000006
【図２】
2017017881.tif 000007
【図３】
2017017881.tif 000008
【図４】
2017017881.tif 000009
【図５】
2017017881.tif 000010
【図６】
2017017881.tif 000011
【図７】
2017017881.tif 000012
【図８】
2017017881.tif 000013
【図９】
2017017881.tif 000014
【図１０】
2017017881.tif 000015
【図１１】
2017017881.tif 000016
【図１２】
2017017881.tif 000017
【図１３】
2017017881.tif 000018
【図１４】
2017017881.tif 000019
【図１５】
2017017881.tif 000020
【図１６】
2017017881.tif 000021
【図１７】
2017017881.tif 000022
【図１８】
2017017881.tif 000023
【図１９】
2017017881.tif 000024
【図２０】
2017017881.tif 000025
【図２１】
2017017881.tif 000026
【図２２】
2017017881.tif 000027
【図２３】
2017017881.tif 000028
【国際調査報告】
2017017881.tif 000029
2017017881.tif 000030
2017017881.tif 000031
2017017881.tif 000032
2017017881.tif 000033
2017017881.tif 000034
2017017881.tif 000035
2017017881.tif 000036
2017017881.tif 000037